(57)【要約】【課題】  除草作業に要する労力を軽減して効率的に大量の草取を行うことが可能な電動草取機を提供する。【解決手段】  電動草取機の柄部１において、柄部本体２の内部に電動式による振動部３が設けられ、この振動部３と対向して振動受部４が設けられている。この振動受部４には振動伝達部５が連接されており、振動伝達部５として例えばばねを用いることができる。振動伝達部５と連接して主軸受部６が設けられ、この主軸受部６に主軸７を接続するための接続部８と接続受部９とが設けられている。振動部３はモーター１０に接続されており、モーター１０によって駆動される。電動草取機の刃先部２１において、主軸７は主軸取り付け部２２に取り付けられ、この主軸取り付け部２２と略平行に草取刃取り付け部２３が設けられている。また、その反対側には根切刃２５が設けられている。【選択図】  図１
2005058159.tif 000002
【特許請求の範囲】
【請求項１】
電気的に振動を発生する振動部を有する柄部と、前記振動部からの振動が伝達されて振動する刃先部とからなり、前記刃先部は複数の草取刃を間隔を置いて配列した草取刃取付部と根切刃とを備えたものであることを特徴とする電動草取機。
【請求項２】
電気的に主軸を回転させる回転部を有する柄部と、主軸の回転に伴って回転する複数の回転刃を間隔を置いて配列した回転刃取付部と、複数の草取刃を間隔を置いて配列した草取刃取付部とを備えたことを特徴とする電動草取機。
【発明の詳細な説明】
【技術分野】
【０００１】
本発明は、家庭の庭、公園、公共施設、街路樹帯等において草取作業を行う際に用いられる草取機に関する。
【背景技術】
【０００２】
家庭の庭、公園、公共施設、街路樹帯等における草取作業の多くは人力によって行われており、これに費やされる労力は大変なものである。特に草取作業は夏の日照りのもとで行われることが多いため、作業者にとっては大きな疲労を伴うものである。
草取作業を人力だけに頼らずに効率的に行うことを目的とした、電動式の草取機が、例えば、特許文献１、特許文献２に開示されている。
【０００３】
【特許文献１】特開平８−１０号公報（段落番号０００６〜００１５）
【特許文献２】特開平９−２５２７０３号公報（段落番号０００５〜００３１）
【０００４】
このうち、特許文献１において開示されている電動草取機を図４に示す。
図４（ａ）において、電動草取機５１は、細長筒状の胴部５４に電動駆動部５７を内設した草取機本体５２と、この草取機本体５２の前端に突設したツールチヤック５６に取り付ける草取ツール５３が主要部をなすものであり、この胴部５４には、スピンドル５５を介してツールチヤック５６を所定方向に連動させる電動駆動部５７と、電動駆動部５７の電源のニッカド電池からなる電源部５８が内設され、さらに、胴部５４の後端は、胴部５４の外方へ突き出す操作用の把部６０に形成され、この把部６０に電動駆動部５７のスイッチ５９が設けられている。
【０００５】
そして、草取機本体５２の前端のツールチヤック５６は、草取ツール５３を着脱自在にチヤックして、電動駆動部５７によって、任意方向に所要速度で回転させるようになっている。
一方、草取ツール５３は、軸部６１の先端が、円錐形の尖鋭端６２をなすと共に、その尖鋭端６２の基部に、後方へ傾斜して開脚する二枚の切り刃６３が羽根状に設けられている。
【０００６】
この電動草取機５１は、図４（ｂ）に示すように使用される。即ち、一方の手で胴部５４を支え、他の手で把部６０を握って縦方向に保持し、把部６０のスイッチ５９によって草取ツール５３を回転させ、除去すべき雑草６８の中心部分または近傍に差し込み、切り刃６３によって雑草６８の根６９を、土中で粉粉にくだいて雑草６８を除去したり、層状網のような芝生の根と交絡している根６９を、その芝生の根から切断分離して、根こそぎ除去して、雑草６８が再生できない状態にして除草する。
【発明の開示】
【発明が解決しようとする課題】
【０００７】
しかし、これらの電動草取機はいずれも、先鋭的に形成された根切装置を土中に差し込み、土中に張った根を切り取るものであるため、一回の作業で除草できる草の量はわずかであり、広い面積に亘って効率的に大量の草取を行うのには不向きである。
本発明は、電動草取機に関するこのような問題点を解決するためになされたもので、除草作業に要する労力を軽減して効率的に大量の草取を行うことが可能な電動草取機を提供することを目的とする。
【課題を解決するための手段】
【０００８】
以上の課題を解決するために、本発明の電動草取機は、電気的に振動を発生する振動部を有する柄部と、前記振動部からの振動が伝達されて振動する刃先部とからなり、前記刃先部は複数の草取刃を間隔を置いて配列した草取刃取付部と根切刃とを備えたものであることを特徴とする。
【０００９】
振動部からの振動が伝達されて刃先部が振動することにより、草取刃の下側先端部は、振動によって土の中へ入り込み、草が生えている部分の土をほぐすことができる。草取作業においては、硬い土をほぐして草の根を切り取ることが必要であり、これに多くの労力が必要であるが、この電動草取機を用いると、草取刃が土をほぐす作用を有しているため、人力による場合と比べて労力が大幅に軽減できる。
本発明においては、上記の手段で根の周りの土がほぐされた雑草に対して、根切刃が作用して雑草の根を切り取るため、効率良く草取を行うことが可能となる。また、複数の草取刃を配列しているため、一度に多量の草の根部を切り取ることができ、大きな力を要することなく、効率よく広い面積に亘って草取作業を行うことが可能となる。
【００１０】
本発明の電動草取機は、電気的に主軸を回転させる回転部を有する柄部と、主軸の回転に伴って回転する複数の回転刃を間隔を置いて配列した回転刃取付部と、複数の草取刃を間隔を置いて配列した草取刃取付部とを備えたことを特徴とする。
【００１１】
回転刃が回転しながら土の中に入り込むことにより、草が生えている部分の土を効率良くほぐすことができるため、土が特に硬い場合や、広大な面積に亘って草取を行う際に有効であり、人力による場合と比べて労力が大幅に軽減できる。この電動草取機では、回転刃は土をほぐすだけでなく、草を掻き出す能力を有しており、その後、草取刃取付部に設けられた複数の草取刃が掻き出された草を収集するため、一度に多量の草取作業を行うことができる。
【発明の効果】
【００１２】
本発明によると以下の効果を奏することができる。
（１）電気的に振動を発生する振動部を有する柄部と、前記振動部からの振動が伝達されて振動する刃先部とからなり、前記刃先部は複数の草取刃を間隔を置いて配列した草取刃取付部と根切刃とを備えたことにより、一度に多量の草の根部を切り取ることができ、大きな力を要することなく、効率よく広い面積に亘って草取作業を行うことが可能となる。
【００１３】
（２）電気的に主軸を回転させる回転部を有する柄部と、主軸の回転に伴って回転する複数の回転刃を間隔を置いて配列した回転刃取付部と、複数の草取刃を間隔を置いて配列した草取刃取付部とを備えたことにより、回転刃が回転しながら土の中に入り込むため、土が特に硬い場合や、広大な面積に亘って草取を行う場合であっても、草が生えている部分の土を効率良くほぐして草を掻き出すことができ、人力による場合と比べて労力が大幅に軽減できる。
【発明を実施するための最良の形態】
【００１４】
以下に、本発明の電動草取機を、その実施の形態に基づいて説明する。
図１、２に、本発明の第１実施形態に係る電動草取機の構成を示す。
図１は、電動草取機の柄部を示し、図２は、電動草取機の刃先部を示す。
図１に示す電動草取機の柄部１において、柄部本体２の内部に電動式による振動部３が設けられ、この振動部３と対向して振動受部４が設けられている。この振動受部４には振動伝達部５が連接されており、振動伝達部５として例えばばねを用いることができる。振動伝達部５と連接して主軸受部６が設けられ、この主軸受部６に主軸７を接続するための接続部８と接続受部９とが設けられている。振動部３はモーター１０に接続されており、モーター１０によって駆動される。
【００１５】
柄部本体２の他端には取手１１が設けられ、この取手１１の一部にモーター１０の電源をオンオフするためのスイッチ１２が設けられている。また、作業上の利便性を考慮して、必要に応じて柄部本体２の外周に補助ハンドル１３を取り付けることもできる。
図２に示す電動草取機の刃先部２１において、主軸７は主軸取り付け部２２に取り付けられ、この主軸取り付け部２２と略平行に草取刃取り付け部２３が設けられている。また、その反対側には根切刃２５が設けられている。
【００１６】
草取刃取り付け部２３には、複数の草取刃２４がほぼ等間隔で配列し固定されている。草取刃２４の長手方向の長さは７０〜１００ｍｍ程度であり、主軸取り付け部２２と草取刃取り付け部２３とは４０ｍｍ〜５０ｍｍ程度の間隔をおいて形成されている。
上述した柄部１と刃先部２１とは、主軸７を主軸受部６に接続することによって一体化して使用される。この実施形態においては、主軸７のうち主軸受部６に接続される部分の形状は、主軸受部６より外径の小さい円筒状であることが好ましい。主軸受部６をモーター１０によって回転させて柄部１を回転装置としても用いる場合に、主軸７の主軸受部６との接続部分を主軸受部６より外径の小さい円筒状とすることによって、主軸７には回転力が伝達されず、振動のみが伝達されるようにすることができるためである。
【００１７】
本発明の第１実施形態に係る電動草取機においては、振動部３によって電気的に発生した振動が、振動受部４を介して振動伝達部５に伝えられ、主軸９が振動する。これに伴って、草取刃２４が振動することとなる。草取刃２４の下側先端部２４ａは、振動によって土の中へ入り込み、草が生えている部分の土をほぐす作用を有する。根切刃２５の長さは１３０ｍｍ〜２００ｍｍ程度とすることができ、この根切刃２５によって、草の根を切り取る。
【００１８】
この電動草取機を用いると、草取刃２４が土をほぐす作用を有しているため、草取が容易になるばかりでなく、複数の草取刃２４を配列しているため、大きな力を要することなく、効率よく広い面積に亘って草取作業を行うことが可能となる。
なお、草取刃２４の数と配列間隔については、草取作業を行う場所の面積と、草の密集度によって適宜定めることができる。
【００１９】
次に、図３に基づいて、本発明の第２実施形態に係る電動草取機について説明する。
図３（ａ）は、この実施形態に係る電動草取機の刃先部を示しており、接続部３１を回転装置に接続して用いられるものである。
主軸３２にはその長手方向に対して直交するように回転刃取付部３３が設けられ、この回転刃取付部３３に複数の回転刃３４が形成されている。また、主軸３２と回転刃取付部３３とが交差する部分には、ギア３５が設けられている。
主軸３２の先には草取刃取付部３６が設けられ、この草取刃取付部３６に複数の草取刃３７が形成されている。
図３（ｂ）は、接続部３１の拡大図であり、主軸３２を回転装置に接続しやすくするためにねじ部３８が設けられている。
【００２０】
本発明の第２実施形態に係る電動草取機においては、主軸３２が電気エネルギーの伝達により回転すると、ギア３５によってその回転方向が変えられ、回転刃取付部３３の回転に伴って、回転刃３４が図示する方向に回転する。この回転刃３４の長さは３０〜５０ｍｍ程度であり、回転刃２４が土の中に入り込むことにより、草が生えている部分の土を効率良くほぐし、かつ草を掻き出すことができる。その後、草取刃取付部３６に設けられた複数の草取刃３７が掻き出された草を収集して、一度に多量の草取作業を行うことができる。
この実施形態の電動草取機は、特に石ころが多い場所などで草取を行うのに適している。
【００２１】
なお、この実施形態においても、草取刃３７の数と配列間隔については、草取作業を行う場所の面積と、草の密集度によって適宜定めることができる。また、回転刃３４の数と配列間隔についても同様である。
また、この実施形態においては、主軸７のうち回転装置に接続される部分の形状は、断面を多角形状とすることが好ましい。主軸７を図１に示す主軸受部６に接続して、主軸受部６をモーター１０で回転させる場合に、主軸７の主軸受部６との接続部分の断面を多角形状とすることによって、主軸７の外周側が主軸受部６と接触して回転力を受け取りやすくなるからである。
【産業上の利用可能性】
【００２２】
本発明は、草取作業に用いられる電動草取機として利用することができる。
【図面の簡単な説明】
【００２３】
【図１】本発明の第１実施形態に係る電動草取機の構成を示す図である。
【図２】本発明の第１実施形態に係る電動草取機の構成を示す図である。
【図３】本発明の第２実施形態に係る電動草取機の構成を示す図である。
【図４】従来の電動草取機の一例を示す図である。
【符号の説明】
【００２４】
１  柄部
２  柄部本体
３  振動部
４  振動受部
５  振動伝達部
６  主軸受部
７  主軸
８  接続部
９  接続受部
１０  モーター
１１  取手
１２  スイッチ
１３  補助ハンドル
２１  刃先部
２２  主軸取り付け部
２３  草取刃取り付け部
２４  草取刃
２５  根切刃
３１  接続部
３２  主軸
３３  回転刃取付部
３４  回転刃
３５  ギア
３６  草取刃取付部
３７  草取刃
３８  ねじ部
【図１】
2005058159.tif 000003
【図２】
2005058159.tif 000004
【図３】
2005058159.tif 000005
【図４】
2005058159.tif 000006